(57)【要約】  【課題】プランジャの摺動抵抗を低減できるとともに、吸引子とプランジャとの間に形成される間隙空間に滞留する流体・油の均圧・排出を円滑に行うことができ、もって、プランジャの応答性を向上できるようにされた電磁弁を提供する。  【解決手段】通電励磁用のコイル２２と、該コイル２２の内周側に配在された吸引子２５と、該吸引子２５に対向配置されたプランジャ３０と、弁座１４を有する弁室１３が設けられた弁本体１０と、前記プランジャ３０に一体移動可能に取り付けられた弁体１５と、前記プランジャ３０が摺動自在に嵌挿されるガイドパイプ３２と、を備え、前記プランジャ３０の外周面に螺旋溝５０が形成されてなる。【選択図】  図１
2007092795.tif 000002
【特許請求の範囲】
【請求項１】
通電励磁用のコイルと、該コイルの内周側に配在された吸引子と、該吸引子に対向配置されたプランジャと、弁座を有する弁室が設けられた弁本体と、前記プランジャに一体移動可能に取り付けられた弁体と、前記プランジャが摺動自在に嵌挿されるガイドパイプと、を備えた電磁弁であって、
前記ガイドパイプに摺接する前記プランジャの外周面に、上端から下端までその全長にわたって連続的に溝が形成されていることを特徴とする電磁弁。
【請求項２】
前記溝は、螺旋溝であることを特徴とする請求項１に記載の電磁弁。
【発明の詳細な説明】
【技術分野】
【０００１】
本発明は、通電励磁用のコイル、該コイルの内周側に配在された吸引子、及び前記吸引子に対向配置されたプランジャを備えた電磁弁に関する。
【背景技術】
【０００２】
この種の電磁弁の従来例を図３に示す。図示の電磁弁１’は、弁座（弁口）１４を有する弁室１３が設けられた弁本体１０と、この弁本体１０の弁室１３に接続された入口継手（流入口）１１及び弁本体1０における弁座１４より下流に接続された出口継手（流出口）１２と、前記弁本体１０の上側に取り付けられた、前記弁座１４にボール弁体１５を接離（開閉）させるための電磁式アクチュエータ２０とを備える。
【０００３】
電磁式アクチュエータ２０は、通電励磁用のコイル２２、該コイル２２の上部内周側に配在された有底円筒状の吸引子２５、吸引子２５の外周段差部と弁本体１０の上部内周段差部にそれぞれ上下端部が溶接等の方法によって密封接合されたガイドパイプ３２、このガイドパイプ３２の内周側に上下方向に摺動自在に、かつ、吸引子２５の下方に所定の間隙長（無通電時）をあけて対向配置されたプランジャ３０、及び、前記コイル２２の外周を覆うように配在されたハウジング２１を備えている。
【０００４】
プランジャ３０の先端（下端）には、保持穴３１が設けられ、この保持穴３１にボール弁体１５が、その下面の一部を露出させた状態で収納されてかしめ固定（かしめ部３１ａ）されている。プランジャ３０の上部には、コイルばねからなる閉弁ばね２６が挿入係止される縦穴（ばね室）３０ａと横穴（均圧穴）３０ｂが形成されている。
【０００５】
このような構成とされた電磁弁１’においては、コイル２２が通電されると、吸引子２５にプランジャ３０が引き寄せられて吸着し、これに伴い、ボール弁体１５が弁座１４から離間（リフト）せしめられて開弁する。また、コイル２２への通電が停止されると、閉弁ばね２６の付勢力によりプランジャ３０及びボール弁体１５が下方に押し戻されて閉弁
する。
【発明の開示】
【発明が解決しようとする課題】
【０００６】
前記従来例の電磁弁１’においては、入口継手（流入口）１１から弁室１３に導入された流体（冷媒）とそれに混入している冷凍機油（潤滑油）の一部が、ガイドパイプ３２の内周面とプランジャ３０の外周面との間（摺動面間）を通って、吸引子２５とプランジャ３０との間に形成される間隙空間Ｓに導かれて滞留する。そして、コイル２２が通電されて吸引子２５にプランジャ３０が吸引されると、間隙空間Ｓに滞留する流体や油はプランジャ３０により圧縮されるので、横穴３０ｂから前記摺動面間をすり抜けて均圧・排出される。
【０００７】
この場合、プランジャ３０の吸引時（通電時）には、間隙空間Ｓの流体や油は急激に圧縮されるので、プランジャ３０に対してダンパーのように働く。したがって、流体・油の均圧・排出が円滑に行われないと、応答性（レスポンス）が悪くなったり、弁開度が不十分となる。
【０００８】
ところが、電磁弁１’においては、その構造上、プランジャ３０には脈動・ビビリや摺動抵抗が発生するのは避けられないので、プランジャ３０の角部等が摩耗して微粒子となり、この微粒子や流体中に含まれる塵埃等が異物となって前記摺動面間に詰まり、プランジャ３０の摺動抵抗が増大するとともに、前記間隙空間Ｓに滞留する流体・油の均圧・排出が円滑に行われなくなることがある。このように、摺動抵抗が増大したり、流体・油の均圧・排出が円滑に行われないと、プランジャ３０の応答性が低下し、電磁弁としての性能低下を招く。
【０００９】
また、従来例の電磁弁１’では、円柱状のプランジャ３０に横穴３０ｂを穿設する必要があるため、加工コストが高くなる嫌いがあり、さらに、摺動面間に異物が詰まりやすいという問題があった。
【００１０】
本発明は、上記事情に鑑みてなされたもので、その目的とするところは、摺動面間に異物が詰まり難くできるとともに、プランジャの摺動抵抗を低減でき、さらに、吸引子とプランジャとの間に形成される間隙空間に滞留する流体・油の均圧・排出を円滑に行うことができ、もって、プランジャの応答性を向上できるようにされた電磁弁を提供することにある。
【課題を解決するための手段】
【００１１】
前記の目的を達成すべく、本発明に係る電磁弁は、基本的には、通電励磁用のコイルと、該コイルの内周側に配在された吸引子と、該吸引子に対向配置されたプランジャと、弁座を有する弁室が設けられた弁本体と、前記プランジャに一体移動可能に取り付けられた弁体と、前記プランジャが摺動自在に嵌挿されるガイドパイプと、を備える。
【００１２】
そして、前記ガイドパイプに摺接する前記プランジャの外周面に、上端から下端までその全長にわたって連続的に溝が形成されていることを特徴としている。
【００１３】
前記溝は、好ましくは、螺旋溝とされる。
【発明の効果】
【００１４】
本発明に係る電磁弁では、吸引子にプランジャが吸引されると、吸引子とプランジャとの間に形成される間隙空間に滞留する流体・油はプランジャにより圧縮されるので、プランジャの外周面に形成された螺旋溝等の溝を通って弁室・出口側に導出され、これにより、流体・油が均圧・排出される。この場合、ガイドパイプの内周面とプランジャの外周面との摺動面間に詰まりやすい摩耗微粒子等の異物も、流体・油と一緒に前記螺旋溝等の溝を通って排出されるので、摺動面間に異物が詰まり難くなり、また、螺旋溝内を流れる流体・油により摺動抵抗が減じられることもあって、プランジャの摺動抵抗を大幅に低減できるとともに、吸引子とプランジャとの間に形成される間隙空間に滞留する流体・油の均圧・排出を円滑に行うことができ、その結果、プランジャの応答性を格段に向上させることが可能となる。
【発明を実施するための最良の形態】
【００１５】
以下、本発明の電磁弁の実施形態を図面を参照しながら説明する。
【００１６】
図１は、本発明に係る電磁弁の一実施形態を示す縦断面図である。
【００１７】
図示実施形態の電磁弁１において、前述した図３に示される従来例の電磁弁１’の各部と同一構成ないし同一機能を有する部分には、共通の符号を付して、重複説明を省略し、以下においては相違点を重点的に説明する。
【００１８】
本実施形態の電磁弁１も、例えばエアコン等の冷凍サイクルに使用されるもので、前述した従来例とは、プランジャ３０の構成が異なる。
【００１９】
すなわち、本実施形態のプランジャ３０は、前記従来例の横穴３０ｂが設けられておらず、その代わりに、図２に拡大図示されているように、プランジャ３０の外周面（ガイドパイプ３２との摺接面）３０ｓに螺旋溝５０が形成されている。この螺旋溝５０は、外周面５０ｓの上端から下端までその全長にわたって連続的に形成されている。
【００２０】
このような構成とされた本実施形態の電磁弁１においては、コイル２２が通電されて、吸引子２５にプランジャ３０が吸引されると、吸引子２５とプランジャ３０との間に形成される間隙空間Ｓに滞留する流体・油はプランジャ３０により圧縮されるので、プランジャ３０の外周面に形成された螺旋溝５０を通って弁室１３側に導出され、これにより、流体・油が均圧・排出される。
【００２１】
この場合、ガイドパイプ３２の内周面とプランジャ３０の外周面との摺動面間に詰まりやすい摩耗微粒子等の異物も、流体・油と一緒に螺旋溝５０を通って排出されるので、摺動面間に異物が詰まり難くなり、また、螺旋溝５０内を流れる流体・油により摺動抵抗が減じられることもあって、プランジャ３０の摺動抵抗を大幅に低減できるとともに、吸引子２５とプランジャ３０との間に形成される間隙空間Ｓに滞留する流体・油の均圧・排出を円滑に行うことができ、その結果、プランジャ３０の応答性を向上させることが可能となる。
【図面の簡単な説明】
【００２２】
【図１】本発明に係る電磁弁の一実施形態を示す縦断面図。
【図２】図１に示される電磁弁の要部拡大図。
【図３】電磁弁の従来例を示す縦断面図。
【符号の説明】
【００２３】
１    電磁弁
１０  弁本体
１１  入口継手（流入口）
１２  出口継手（流出口）
１３  弁室
１４  弁座
１５  弁体
２０  電磁式アクチュエータ
２５  吸引子
２６  閉弁ばね
３０  プランジャ
３２  ガイドパイプ
５０  螺旋溝
【図１】
2007092795.tif 000003
【図２】
2007092795.tif 000004
【図３】
2007092795.tif 000005